(57)【要約】【課題】ＤＥ値と粘度が高くかつ透明性の高い粉分解物を得ることを課題とする。【解決手段】（Ａ）から（Ｃ）：（Ａ）ＤＥ値が１８を超え２７以下、（Ｂ）３０℃における３０質量％水溶液の粘度が５０〜２５０ｍＰａ・ｓ、（Ｃ）３０質量％水溶液を４℃で３日間保存した後の濁度が１．０以下、の数値を満たす澱粉分解物により上記課題は達成される。【選択図】なし【特許請求の範囲】
【請求項１】
下記（Ａ）から（Ｃ）の数値を満たす澱粉分解物：
（Ａ）ＤＥ値が１８を超え２７以下、
（Ｂ）３０℃における３０質量％水溶液の粘度が５０〜２５０ｍＰａ・ｓ、及び
（Ｃ）３０質量％水溶液を４℃で３日間保存した後の濁度が１．０以下。
【請求項２】
（Ｄ）分子量５,０００以上の糖組成物含有量が固形分当たり７０質量％以上である、請求項１記載の澱粉分解物。
【請求項３】
（Ｂ）３０℃における３０質量％水溶液の粘度が５５〜２００ｍＰａ・ｓである、請求項１又は２記載の澱粉分解物。
【請求項４】
（Ａ）ＤＥ値が１９以上２６以下である、請求項１〜３のいずれかに記載の澱粉分解物。
【請求項５】
澱粉分解物がワキシー種澱粉由来の澱粉分解物である、請求項１〜４のいずれかに記載の澱粉分解物。
【請求項６】
原料澱粉を液化酵素で加水分解後、糖化酵素でさらに加水分解する、請求項１〜５のいずれかに記載の澱粉分解物の製造方法。
【請求項７】
原料澱粉を液化酵素で加水分解し、その７０℃における２５質量％水溶液の粘度が２０〜２５０ｍＰａ・ｓの範囲にあるときに、該液化酵素の反応を停止させることを特徴とする、請求項６記載の澱粉分解物の製造方法。
【請求項８】
原料澱粉がワキシー種澱粉である、請求項６又は７記載の製造方法。
【請求項９】
請求項１〜５のいずれかに記載の澱粉分解物を含む飲食品。
【発明の詳細な説明】
【技術分野】
【０００１】
本発明は、新規な澱粉分解物及びその製造方法に関する。
【背景技術】
【０００２】
澱粉分解物を飲食品に用いることは従来から行われており、その際、澱粉懸濁液にα−アミラーゼ（液化酵素）やグルコアミラーゼ（糖化酵素）を作用させたり、酸を用いたりして、所望するＤＥ値の澱粉分解物を得る方法は既に知られている。
【０００３】
例えば、特許文献１には、澱粉懸濁液をα−アミラーゼで二段加水分解（液化）して得られる、ＤＥ値５〜１８の老化しにくい澱粉分解物が開示される。特許文献２には、α-アミラーゼ又は酸を用いて澱粉を分解する第１分解工程と、少なくとも枝切り酵素を用いて分解する第２分解工程とからなるグルコースポリマーの製造方法により製造される、ＤＥ値２７以下であり、かつ分子量５,０００以上の糖組成物含有量が固形分当たり１８重量％以下であり、さらに含まれる単糖類が固形分当たり６重量％以下であることを特徴とするグルコースポリマーが開示されている。
【０００４】
また、特許文献３には、でんぷんをオリゴ糖へと加水分解する第一のでんぷん加水分解酵素、及びでんぷん又はオリゴ糖をグルコースへと加水分解する第二のでんぷん加水分解酵素により澱粉懸濁液を処理して単糖リッチなシロップを製造したことが開示されている。また、特許文献４には、高いデキストロース含有量を有する澱粉加水分解物の生産法として、澱粉懸濁液を酵素による液化及び糖化後にナノ濾過透過物として得る方法が開示されている。
【０００５】
さらに、特許文献５には、透明性に優れた澱粉分解物を得ることを目的として、澱粉懸濁液を澱粉分解酵素で処理し、約２〜５万ダルトンの分子量を有するＤＥ値が約８より小さいマルトデキストリンを分離して得る方法が開示されている。
特許文献６には、濃厚感を有するデキストリンを作成することを目的として、澱粉加水分解物に分岐酵素を反応させてＤＥ値が２〜９で所定の粘度の分岐デキストリンを作成したことが記載されている。
【先行技術文献】
【特許文献】
【０００６】
【特許文献１】特開昭４９−１９０４９号公報
【特許文献２】特開２００７−１８２５６３号公報
【特許文献３】特開２００４−２４８６７３号公報
【特許文献４】特開２０００−３０８４９９号公報
【特許文献５】特開平６−２０９７８４号公報
【特許文献６】特開２０１４−８０５１８号公報
【発明の概要】
【発明が解決しようとする課題】
【０００７】
上述のとおり、澱粉懸濁液における糖化酵素反応を適時終了させ、所望する画分を分離等することにより、澱粉分解物のＤＥ値を適宜設定することは可能であったといえる。また、比較的粘度が高い澱粉分解物も報告されている。
しかしながら、飲食品に添加することを目的として、従来知られている粘度が高い澱粉分解物を使用すると、ＤＥ値が小さいことから甘味が低く抑えられ、濃厚感が得られたが、後味が残るという問題があった。一方、後味が口中に残らない従来のＤＥ値の高い澱粉分解物を用いた場合には、甘味が強く、さらに粘度が低いことから、濃厚感が得られにくかった。すなわち、飲食品に従来の様々なＤＥ値を有する澱粉分解物を用いた場合、コク（濃厚感）やキレ（味きれ）と表現される先味と後味の双方に優れた風味を飲食品に与えることは困難であった。
また、飲食品に澱粉分解物を添加する場合には、透明性が高く、飲食品の外観に影響を与えないものが望ましいが、従来の粘度の高い澱粉分解物では老化耐性が低く、保存中の老化により濁度が高くなってしまうため、溶液にした際に透明性の高いものが得られない。従って、コク（濃厚感）やキレ（味切れ）と表現される先味と後味の双方に優れた風味が良くかつ透明性の高い新規な澱粉分解物を得ることが本発明の課題である。
【課題を解決するための手段】
【０００８】
本発明者らは、かかる課題を解決すべく種々検討したところ、原料澱粉を特定の澱粉分解酵素を用いて特定の条件で分解することにより、水溶液粘度及びＤＥ値が所定範囲内であり、かつ透明性が高い澱粉分解物が得られ、コク（濃厚感）やキレ（味切れ）と表現される先味と後味の双方に優れかつ透明性を高く維持できる澱粉分解物が得られることを見いだした。
【０００９】
すなわち、本発明は、上記知見に基づいて完成されたものであり、以下の〔１〕〜〔９〕から構成されるものである。
〔１〕下記（Ａ）から（Ｃ）の数値を満たす澱粉分解物：
（Ａ）ＤＥ値が１８を超え２７以下、
（Ｂ）３０℃における３０質量％水溶液の粘度が５０〜２５０ｍＰａ・ｓ、及び
（Ｃ）３０質量％水溶液を４℃で３日間保存した後の濁度が１．０以下。
〔２〕（Ｄ）分子量５,０００以上の糖組成物含有量が固形分当たり７０質量％以上である、〔１〕記載の澱粉分解物。
〔３〕（Ｂ）３０℃における３０質量％水溶液の粘度が５５〜２００ｍＰａ・ｓである、〔１〕又は〔２〕記載の澱粉分解物。
〔４〕（Ａ）ＤＥ値が１９以上２６以下である、〔１〕〜〔３〕のいずれかに記載の澱粉分解物。
〔５〕澱粉分解物の原料澱粉がワキシー種澱粉である、〔１〕〜〔４〕のいずれかに記載の澱粉分解物。
〔６〕原料澱粉を液化酵素で加水分解後、糖化酵素でさらに加水分解する、〔１〕〜〔５〕のいずれかに記載の澱粉分解物の製造方法。
〔７〕原料澱粉を液化酵素で加水分解し、その７０℃における２５質量％水溶液の粘度が２０〜２５０ｍＰａ・ｓの範囲にあるときに、該液化酵素の反応を停止させることを特徴とする、〔６〕記載の澱粉分解物の製造方法。
〔８〕原料澱粉がワキシー種澱粉である、〔６〕又は〔７〕記載の製造方法。
〔９〕〔１〕〜〔５〕のいずれかに記載の澱粉分解物を含む飲食品。
【発明の効果】
【００１０】
本発明の澱粉分解物は、高ＤＥ値でありながら、その水溶液粘度は高く透明性に優れるため、甘味が低く後味が口中に残らず、食品の風味を損なうことなく濃厚感と味切れの双方を付与することができる。本発明の澱粉分解物は特に、液状又はペースト状の飲食品に好適に使用されうる。
【図面の簡単な説明】
【００１１】
【図１】官能評価のスケールを示す。
【図２】澱粉分解物３０質量％水溶液を４℃で３日間保存後の状態の写真である（写真左から、実施例４、比較例２、比較例５及びパインデックス＃１００）。
【発明を実施するための形態】
【００１２】
＜澱粉分解物＞
本発明の澱粉分解物は、下記（Ａ）から（Ｃ）の数値を満たすものである。
（Ａ）ＤＥ値が１８を超え２７以下
（Ｂ）３０℃における３０質量％水溶液の粘度が５０〜２５０ｍＰａ・ｓ
（Ｃ）３０質量％水溶液を４℃で３日間保存した後の濁度が１．０以下
【００１３】
本発明における「澱粉分解物」は、「水飴」、「デキストリン」、「マルトデキストリン」などとも呼ばれ、澱粉を酵素により加水分解して得られるものを指す。
【００１４】
（Ａ）ＤＥ値
本発明の澱粉分解物のＤＥ値は、１８を超え２７以下であり、好ましくは１８を超え２６以下、より好ましくは１９以上２６以下である。上記範囲であれば、甘すぎず、味切れのよい澱粉分解物を提供することができ、飲食品に添加した場合にも飲食品の風味を損なうことがない。
本発明における「ＤＥ」値とは、「［（直接還元糖（ブドウ糖として表示）の質量）／（固形分の質量）］×１００」の式により求められる値で、レインエイノン法による分析値である。
【００１５】
（Ｂ）粘度
（i）液化液  
本発明の製造方法（後述）における「液化液」の粘度とは、液化工程後の澱粉分解物の２５質量％水溶液の７０℃におけるＢＭ型粘度計による測定値である。本発明の液化液の７０℃における２５質量％水溶液の粘度は、好ましくは２０〜２５０ｍＰａ・ｓであり、より好ましくは３０〜２００ｍＰａ・ｓであり、さらに好ましくは３０〜１５０ｍＰａ・ｓであり、最も好ましくは３０〜１４０ｍＰａ・ｓである。
（ii）糖化液及び澱粉分解物
本発明における「糖化液」又は「澱粉分解物」の粘度とは、糖化液又は澱粉分解物の３０質量％水溶液の３０℃におけるＢＭ型粘度計による測定値である。
本発明の糖化液及び澱粉分解物の３０℃における３０質量％水溶液の粘度は、５０〜２５０ｍＰａ・ｓであり、好ましくは５０〜２００ｍＰａ・ｓであり、より好ましくは５５〜２００ｍＰａ・ｓであり、さらに好ましくは６０〜２００ｍＰａ・ｓである。上記範囲であると濃厚感を付与できる澱粉分解物を提供することができる。
【００１６】
（Ｃ）濁度
本発明の澱粉分解物の３０質量％水溶液を品温４℃で３日間保存した後の濁度は１．０以下である。より好ましくは濁度は０．５以下、さらに好ましくは０．２以下、最も好ましくは０．０５以下である。
本発明における「濁度」とは、澱粉分解物の３０質量％水溶液の７２０ｎｍ（１０ｃｍセル）における吸光度である。
【００１７】
（Ｄ）分子量５,０００以上の糖組成物含有量
本発明の澱粉分解物は、澱粉の分解により生じる糖からなる組成物であり、分子量５,０００以上の糖組成物（画分）含有量が、固形分当たり７０質量％以上であることが好ましい。より好ましくは、８０質量％以下である。係る範囲であれば濃厚感、味切れを良好にすることができるからである。
本発明における分子量５,０００以上の糖組成物含有量は、ゲルろ過によるＨＰＬＣ（島津製作所社製）より得られる分子量分布から求めることができる。ＨＰＬＣの分析条件は以下であり、プルラン標準品、マルトトリオースおよびグルコースを用いて検出時間に対する分子量の検量線を作成し、この検量線より分子量５，０００の検出時間を算出したのち、算出された検出時間より前に検出されるピークの面積％を分子量５，０００以上の糖組成物含有量とした。
［カラム］：ＴＳＫｇｅｌ  Ｇ２５００ＰＷＸＬ，Ｇ３０００ＰＷＸＬ、
Ｇ６０００ＰＷＸＬ（東ソー（株）製）
［カラム温度］：８０℃、
［移動相］：蒸留水、
［流速］：０．５ｍｌ／ｍｉｎ、
［検出器］：示差屈折率計、
［サンプル注入量］：１質量％水溶液１００μＬ、
［検量線］：プルラン標準品（昭和電工（株）製）、マルトトリオースおよびグルコース
【００１８】
＜澱粉分解物の製造＞
上述の本発明の澱粉分解物は、原料澱粉を液化酵素で加水分解後、糖化酵素でさらに加水分解することを含む製造方法により製造することができる。
【００１９】
本発明の澱粉分解物を得るための原料となる澱粉（原料澱粉）は、自然界に見出される天然澱粉その他遺伝子工学技術を含む標準的育種技術により得られた藻類を含む植物由来のものであればいずれでもよく、その代表的な供給源は、穀類、塊茎、根、藻、豆果及び果物である。より具体的な例としては、トウモロコシ、エンドウ、ジャガイモ、サツマイモ、バナナ、オオムギ、コムギ、米、サゴ、アマランス、タピオカ、カンナ、モロコシ及びこれらの糯種又は高アミロース種が挙げられる。
【００２０】
本発明の澱粉分解物を得るための好ましい原料澱粉としては、ワキシータピオカ澱粉、ワキシーコーン澱粉、ワキシーポテト澱粉といった糯種澱粉を挙げることができ、そのなかでも、ワキシータピオカ澱粉がより好ましい。高ＤＥ値で高い水溶液粘度を有しかつ高い透明性を有する澱粉分解物を得ることができるからである。
【００２１】
液化酵素による加水分解工程を「液化工程」、糖化酵素により加水分解する工程を「糖化工程」とも呼ぶ。
本発明の澱粉分解物を得るための液化工程における液化酵素は、α−アミラーゼである。「α−アミラーゼ」とは、澱粉のα−１，４グルコシド結合を加水分解するエンド型の酵素をいい、例えば、クライスターゼＳＤ−ＫＭ（天野エンザイム社製）や、ターマミル１２０Ｌ（ノボザイムズジャパン社製）などが挙げられる。このα−アミラーゼの使用量は、原料澱粉の固形分質量に対して０．０１〜０．２質量％であることが好ましく、より好ましくは、０．０２〜０．１２質量％である。
【００２２】
上記の液化工程は、温度は、好ましくは７０〜１００℃、より好ましくは８０〜９５℃、ｐＨは、好ましくは５．０〜７．０、より好ましくは５．５〜６．５、その処理時間は、好ましくは５〜４０分、より好ましくは７〜３０分の範囲で行うことができる。液化工程における原料澱粉の濃度は２５〜４０質量％程度であることが好ましい。液化工程において、加熱加圧蒸煮釜やジェットクッカーなどの加熱装置を用いてもよい。
液化工程では、反応溶液（液化液）の７０℃における２５質量％水溶液の粘度が所定範囲、例えば、２０〜２５０ｍＰａ・ｓに到達した時点で、０．２ＭＰａ程度の加圧処理又はシュウ酸などの酸により反応を終了させてもよい。
【００２３】
本発明の澱粉分解物を得るための糖化工程における糖化酵素は、例えばグルコアミラーゼである。本発明にいう「グルコアミラーゼ」とは、アミロースとアミロペクチンのα−１，４グルコシド結合を非還元末端からグルコース単位で加水分解するエキソ型の酵素をいい、例えば、グルクザイムＮＬ４．２（天野エンザイム社製）や、グルコチーム＃２００００（ナガセケムテックス社製）、ＡＭＧ３００Ｌ（ノボザイムズジャパン社製）などが挙げられる。このグルコアミラーゼの使用量は、原料澱粉の固形分に対して０．０１〜１．０質量％であることが好ましく、より好ましくは、０．０２〜０．５質量％である。
【００２４】
上記の糖化工程は、温度は、好ましくは４５〜７０℃、より好ましくは５５〜６５℃、ｐＨは好ましくは３．０〜６．０、より好ましくは３．５〜５．０、処理時間は好ましくは３〜４００分、より好ましくは１０〜２００分の範囲で行うのがよい。糖化工程における液化工程からの原料澱粉の濃度は１５〜３０質量％程度であることが好ましい。反応溶液（糖化液）の３０質量％水溶液の３０℃における粘度が５０〜２５０ｍＰａ・ｓ又は、ＤＥ値が１８を超え２７以下の範囲に到達した時点で、９０℃以上の加温又は加圧処理により反応を終了させるのがよい。
【００２５】
上記の液化及び糖化工程を経て得られた反応溶液は、精製工程としての珪藻土によるろ過及びイオン交換樹脂による脱塩を経て、濃縮して液状品とするか、噴霧乾燥等により粉末化して粉末品とすることができる。そして、さらに、精製後の澱粉分解物の液を還元（水素添加）して還元型澱粉分解物とすることもできる。
【００２６】
このようにして得られる本発明の澱粉分解物は、ＤＥ値が１８を超え２７以下と大きいにもかかわらず、３０℃における３０質量％水溶液の粘度は５０〜２５０ｍＰａ・ｓと高くなる。
【００２７】
なお、高粘度デキストリンの代表例として、松谷化学工業社製「パインデックス＃１００」が挙げられるが、３０℃における３０質量％水溶液粘度は１００ｍＰａ・ｓである一方、ＤＥ値は４と小さい。また、高ＤＥ値のデキストリンの代表例として、松谷化学工業社製「パインデックス＃３」が挙げられるが、ＤＥ値は２５〜３０である一方、３０℃における３０質量％水溶液粘度は７ｍＰａ・ｓと低い。
【００２８】
したがって、これら一般的な澱粉分解物と本発明の澱粉分解物を比べると、本発明の澱粉分解物が、これまでにないタイプの澱粉分解物であることがわかる。
【００２９】
＜飲食品＞
本発明の他の態様は、上記澱粉分解物を含む飲食品である。飲食品の種類は特に限定されないが、例えば、コーヒー、紅茶、ジュース等の清涼飲料、アルコール飲料の飲料品、アイスクリーム、ミルクプリン、カスタードクリーム、ヨーグルト、ムース等の乳含有製品、つゆ・たれ類、すし酢、ドレッシング、マヨネーズ、ケチャップ、ソース等の調味製品、カレー、シチュー、濃厚流動食、経腸栄養剤、ゼリー等が挙げられる。特に乳含有製品、調味製品等の液状又はペースト状の飲食品において用いると、濃厚感及び味切れの双方に優れた効果を発揮するため、好ましい。
これらの飲食品に対し、本発明の澱粉分解物を、好ましくは１〜３０質量％、より好ましくは２〜１５質量％、さらに好ましくは２〜１１質量％含有させることにより、濃厚感及び味切れの双方に優れた飲食品を製造することができる。
【実施例】
【００３０】
以下、本発明の実施形態を記載するが、実施例に特に限定されるものではない。実施例内において特に説明がない場合には、「％」は「質量％」を意味する。
【００３１】
（実施例１）
ワキシータピオカ澱粉を水に懸濁して３５質量％の澱粉スラリー液とした後、消石灰を用いてｐＨ６．０に調整し、α−アミラーゼ（クライスターゼＳＤ−ＫＭ、天野エンザイム社製）を原料の固形分に対して０．１質量％添加した。この澱粉スラリー液を、８０℃に保温された加熱加圧蒸煮釜へ投入して反応を行った。反応の途中で、反応液の一部を９５℃以上に加熱して失活し、２５質量％の濃度に調整して７０℃における粘度を測定し、粘度が２０〜２５０ｍＰａ・ｓであることを確認して反応を終了した。反応液を０．２ＭＰａにて酵素を失活して液化液を得た。酵素失活させた反応液の一部を２５質量％の濃度に調整して７０℃における粘度を測定したところ、４９．８ｍＰａ・ｓであった。この液化液（固形分２２質量％）を６０℃に冷却後、シュウ酸を用いてｐＨ４．５に調整し、グルコアミラーゼ（グルクザイムＮＬ４．２、天野エンザイム社製）を原料の固形分に対して０．０４質量％添加して、６０℃で反応後、９０℃以上で１０分間保持し、酵素を失活させて糖化液を得た。得られた糖化液を、珪藻土によるろ過及びイオン交換樹脂による脱塩によって精製した後、２５質量％まで濃縮し、噴霧乾燥により粉末化してＤＥ値が２６．０、３０℃における３０質量％水溶液の粘度が６０．５ｍＰａ・ｓの澱粉分解物を得た。
【００３２】
（実施例２〜９及び比較例１〜８）
実施例１における原料澱粉を表１に記載のものに変え、表１及び表２に記載した条件を用いて実施例１と同様の手順で澱粉分解物を調製し、表１および表２に記載される各ＤＥ値及び３０℃における３０質量％水溶液の粘度を有する各澱粉分解物を得た。
【００３３】
（ＤＥ値測定）
実施例及び比較例のＤＥ値をレインエイノン法（「澱粉糖関連工業分析法」、食品化学新聞社発行（平成３年１１月１日発行））により測定した。
【００３４】
（粘度測定）
（i）液化液
実施例及び比較例の液化液の粘度を、液化工程後の澱粉分解物の２５質量％水溶液の７０℃における粘度計（ＢＭ形  東機産業社製）により測定した。より具体的には、２５質量％の液化液を７０℃に調整し、６０回転／分、ローター１または２を用いて３０秒間測定した。
（ii）糖化液及び澱粉分解物
実施例及び比較例の糖化液及び澱粉分解物の粘度を、糖化液又は澱粉分解物の３０質量％水溶液の３０℃における粘度計（ＢＭ形  東機産業社製）により測定した。より具体的には、３０質量％の糖化液又は澱粉分解を３０℃に調整し、６０回転／分、ローター１または２を用いて３０秒間測定した。
【００３５】
（濁度測定）
実施例及び比較例の澱粉分解物の３０質量％水溶液を、３０ｍｌのガラス製のバイアル瓶に入れ、品温４℃で３日間保存した後、１０ｃｍの厚さのプラスティック材質のセルに移し、分光光度計（Ｕ−２９００、日立ハイテクノロジーズ社製）を用いて、７２０ｎｍの波長における吸光度を測定した。
【００３６】
【表１】
2019089932.tif 000002
【００３７】
【表２】
2019089932.tif 000003
【００３８】
（官能評価）
実施例１〜９及び比較例１〜８で得られた澱粉分解物の１０質量％水溶液について、よく訓練されたパネラー９名により官能評価を行い、官能評価項目は、先味としての「濃厚感」と後味としての「味切れ」に加えて、「甘味」そのものとした。なお、先味の「濃厚感」は、試料溶液を口に含んだ瞬間に感じるコクの強さを、後味の「味切れ」は、試料溶液を飲み込んだあとに濃厚感が喉に残らない度合を、「甘味」は、甘味の強さそのものを評価した。また、その評価基準は、図１に示すとおり、パインデックス＃１００及びパインデックス＃３の各水溶液を基準とする「５段階のスケール」における位置付け（但し、整数）をもって行い、その９名の平均値を評価結果とした。評価結果は、３．０以上で目標に合致するパインデックス＃１００に近い濃厚感、パインデックス＃３に近い味切れ、およびパインデックス＃１００に近い甘味のものとし、３．０未満では各項目において目標に合致しないものとした。
【００３９】
（老化耐性評価）
各澱粉分解物の３０質量％水溶液を４℃で３日間保存した後の濁度が１．０以下の場合、老化耐性があるとした。
【００４０】
（分子量５,０００以上の糖組成物含有量）
分子量５,０００以上の糖組成物含有量は、ゲルろ過によるＨＰＬＣより得られる分子量分布から求めた。ＨＰＬＣの分析条件は以下であり、プルラン標準品、マルトトリオースおよびグルコースを用いて検出時間に対する分子量の検量線を作成し、この検量線より分子量５，０００の検出時間を算出したのち、算出された検出時間より前に検出されるピークの面積％を分子量５，０００以上の糖組成物含有量とした。
［カラム］：ＴＳＫｇｅｌ  Ｇ２５００ＰＷＸＬ，Ｇ３０００ＰＷＸＬ、
Ｇ６０００ＰＷＸＬ（東ソー（株）製）
［カラム温度］：８０℃、
［移動相］：蒸留水、
［流速］：０．５ｍｌ／ｍｉｎ、
［検出器］：示差屈折率計、
［サンプル注入量］：１質量％水溶液１００μＬ、
［検量線］：プルラン標準品（昭和電工（株）製）、マルトトリオースおよびグルコース
以上の各澱粉分解物の官能評価及び目視評価の結果並びに分析値を、以下の表３及び４に示す。
【００４１】
【表３】
2019089932.tif 000004
【００４２】
【表４】
2019089932.tif 000005
【００４３】
表３の実施例の結果より、ワキシー種を原料とし、ＤＥ値が１８を超え２７以下、３０℃における３０質量％水溶液の粘度が５０〜２００ｍＰａ・ｓの範囲にある澱粉分解物は、老化耐性が高く、官能評価においては濃厚感及び味切れが良好であり、さらに甘味が低い結果となった。すなわち、上記のＤＥ値及び粘度の範囲内にある本発明の澱粉分解物にあっては、飲食品の風味や味質に影響を与えることなく濃厚感と味切れがよくさらに高い老化耐性を有することがわかった。
【００４４】
表４の比較例の結果からわかるように、３０℃における３０質量％水溶液の粘度が５０ｍＰａ・ｓ未満では、濃厚感が弱く（比較例１〜３）、２５０ｍＰａ・ｓを超える範囲では、ＤＥ値が高い場合であっても、味切れが悪かった（比較例７、８）。また、ＤＥ値が１８以下の場合も味切れが悪かった（比較例４、８）。一方、ＤＥ値が２７を超えると甘さを感じた（比較例３、６）。原料がタピオカの場合は濁度が大きく上がってしまい、老化耐性が非常に低いことがわかった（比較例２、５）。
【００４５】
（食品例１：コーヒー飲料）
実施例４及び比較例１の各澱粉分解物と、対照としてパインデックス＃１００及びパインデックス＃３を用いて、表５に示した処方でコーヒー飲料を調製した。具体的には、コーヒー豆を１０倍量の８５℃熱水で５分間抽出し、冷却後ろ過しコーヒー抽出液を調製した。このコーヒー抽出液に他の原料を加えて混合溶解した後、水を加えて全量補正した。６０℃まで加熱した後、ホモジナイザーで５０００ｒｐｍ、５分間処理し、次いで２００ｋｇｆ／ｃｍ２の圧力にて均質化処理し、缶に充填後、１２５℃、２０分間レトルト殺菌を行い、コーヒー飲料を調製した。
【００４６】
【表５】
2019089932.tif 000006
※１  ユニカフェ社製
※２  三菱化学フーズ社製（シュガーエステルＰ−１６７０、Ｓ−５７０）
【００４７】
得られたコーヒー飲料について、訓練されたパネラー６名の官能評価により、先味としての「濃厚感」、後味としての「味切れ」について評価を行った。評価結果を表６に示す。
なお、以降の食品の評価は、前述した澱粉分解物の評価方法に準じて行っている。
【００４８】
【表６】
2019089932.tif 000007
【００４９】
その結果、実施例４の澱粉分解物を使用したコーヒー飲料は、濃厚感がありながらも、後味の味切れが良かった。一方、比較例１の澱粉分解物を使用したコーヒー飲料は後味の味切れは良好であったが、濃厚感が弱かった。
【００５０】
（食品例２：アイスクリーム）
実施例４及び比較例１の澱粉分解物、対照としてパインデックス＃１００及びパインデックス＃３を用いて、表７に示した処方でアイスクリームを調製した。具体的には無塩バター、生クリーム、バニラフレーバー以外の原料を加えて撹拌しながら内容物の温度が６０℃に達するまで加熱した後、無塩バターと生クリームを加えて８５℃に達するまで加熱撹拌した。続いてホモミキサーで８０００ｒｐｍ、５分間処理した後、高圧ホモジナイザーで１５０ｋｇｆ／ｃｍ２の圧力にて均質化処理した。これをさらに冷水を用いて５℃まで冷却した後、庫内温度５℃の冷蔵庫に１２時間保存したものにバニラフレーバーを添加し、アイスクリームフリーザーを用いてフリージングした後、−４℃で取り出してカップに充填し、−３０℃の急速冷凍庫中で１時間硬化させ、アイスクリームを調製した。
【００５１】
【表７】
2019089932.tif 000008
※３  キユーピータマゴ社製（加糖凍結卵黄２０）
※４  三栄源エフ・エフ・アイ社製（サンベストＮＮ−７４９）
※５  高田香料社製（カスタードワニラエッセンスＴ−４８４）
【００５２】
得られたアイスクリームについて、訓練されたパネラー６名の官能評価により、先味としての「濃厚感」及び後味としての「味切れ」について評価を行った。評価結果を表８に示す。
【００５３】
【表８】
2019089932.tif 000009
【００５４】
その結果、実施例４の澱粉分解物を使用したアイスクリームは、濃厚感がありながらも味切れが良く、味切れが良い結果として後に風味が立つものであった。一方、比較例１の澱粉分解物を使用したアイスクリームは、味切れは良かったものの濃厚感が弱かった。
【００５５】
（食品例３：めんつゆ）
実施例４及び比較例１の澱粉分解物、対照としてパインデックス＃１００及びパインデックス＃３を用いて、表９に示した処方でめんつゆを調製した。具体的には、水以外の原料を混合したものを９０℃まで加熱し、冷却後、水を加えて全量補正して調製した。
【００５６】
【表９】
2019089932.tif 000010
※６  富士食品工業社製
【００５７】
得られためんつゆについて、訓練されたパネラー５名の官能評価により、先味としての「濃厚感」、後味としての「味切れ」について評価を行った。評価結果を表１０に示す。
【００５８】
【表１０】
2019089932.tif 000011
【００５９】
その結果、実施例４の澱粉分解物を使用しためんつゆは、濃厚感がありながらも味切れが良く、味切れが良い結果として後に風味が立つものであった。一方、比較例１の澱粉分解物を使用しためんつゆは、味切れは良かったものの、濃厚感が弱かった。
【００６０】
（食品例４：ミルクプリン）
実施例４及び比較例１の澱粉分解物、対照としてパインデックス＃１００及びパインデックス＃３を用いて、表１１に示した処方でミルクプリンを調製した。具体的には、原料を混合し、撹拌しながら７０℃まで加熱した後、１５０ｋｇｆ／ｃｍ２の圧力にて均質化処理し、カップに充填後、９０℃、１０分間殺菌を行い、ミルクプリンを調製した。
【００６１】
【表１１】
2019089932.tif 000012
※７  ＤＳＰ五協フード＆ケミカル社製（ゲルメイトＰＣ）
【００６２】
得られたミルクプリンについて、訓練されたパネラー６名の官能評価により、先味としての「濃厚感」、後味としての「味切れ」について評価を行った。評価結果を表１２に示す。
【００６３】
【表１２】
2019089932.tif 000013
【００６４】
その結果、実施例４の澱粉分解物を使用したミルクプリンは、濃厚感がありながらも味切れが良く、味切れが良い結果として後に風味が立つものであった。一方、比較例１の澱粉分解物を使用したミルクプリンは、味切れは良かったものの、濃厚感が弱かった。
【００６５】
（食品例５：蒲焼きのたれ）
実施例４及び比較例１の澱粉分解物、対照としてパインデックス＃１００及びパインデックス＃３を用いて、表１３に示した処方で蒲焼きのたれを調製した。
【００６６】
【表１３】
2019089932.tif 000014
【００６７】
得られた蒲焼きのたれについて、訓練されたパネラー５名の官能評価により、先味としての「濃厚感」、後味としての「味切れ」について評価を行った。評価結果を表１４に示す。
【００６８】
【表１４】
2019089932.tif 000015
【００６９】
その結果、実施例４の澱粉分解物を使用した蒲焼のたれは、濃厚感があり、味切れが良かった。一方、比較例１の澱粉分解物を使用した蒲焼のたれは、味切れは良かったものの、濃厚感が弱かった。
【００７０】
（食品例６：ドレッシング）
実施例４及び比較例１の澱粉分解物、対照としてパインデックス＃１００及びパインデックス＃３を用いて、表１５に示した処方でドレッシングを調製した。具体的には、ごま油、サラダ油以外の原料を加えて溶解し、撹拌しながら８０℃まで加熱した。冷却後、ごま油及びサラダ油を添加して容器に充填し、ドレッシングを調製した。
【００７１】
【表１５】
2019089932.tif 000016
【００７２】
得られたドレッシングについて、訓練されたパネラー５名の官能評価により、先味としての「濃厚感」、後味としての「味切れ」について評価を行った。評価結果を表１６に示す。
【００７３】
【表１６】
2019089932.tif 000017
【００７４】
その結果、実施例４の澱粉分解物を使用したドレッシングは、濃厚感がありながらも味切れが良く、味切れが良い結果として後に風味が立つものであった。一方、比較例１の澱粉分解物を使用したドレッシングは、味切れは良かったものの、濃厚感が弱かった。
【００７５】
（食品例７：マヨネーズ）
実施例４及び比較例１の澱粉分解物、対照としてパインデックス＃１００及びパインデックス＃３を用いて、表１６に示した処方でマヨネーズを調製した。具体的には、サラダ油以外の原料にサラダ油を少量ずつ添加して混合・撹拌し、コロイドミル（「ＭＩＬＬ  ＭＩＸ」、（株）日本精機製作所）の４，０００ｒｐｍ、クリアランス０．３ｍｍにて乳化し、マヨネーズを調製した。
【００７６】
【表１７】
2019089932.tif 000018
【００７７】
得られたマヨネーズについて、訓練されたパネラー５名の官能評価により、先味としての「濃厚感」、後味としての「味切れ」について評価を行った。評価結果を表１６に示す。
【００７８】
【表１８】
2019089932.tif 000019
【００７９】
その結果、実施例４の澱粉分解物を使用したマヨネーズは、濃厚感があり、味切れが良かった。一方、比較例１の澱粉分解物を使用したマヨネーズは、味切れは良かったものの、濃厚感が弱かった。
【図１】
2019089932.tif 000020
【図２】
2019089932.tif 000021
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
下記（Ａ）から（Ｃ）の数値を満たし：
（Ａ）ＤＥ値が１８を超え２７以下、
（Ｂ）３０℃における３０質量％水溶液の粘度が５０〜２５０ｍＰａ・ｓ、及び
（Ｃ）３０質量％水溶液を４℃で３日間保存した後の濁度が１．０以下、
かつ、ワキシー種澱粉である原料澱粉を液化酵素で加水分解し、その７０℃における２５質量％水溶液の粘度が２０〜２５０ｍＰａ・ｓの範囲にあるときに、該液化酵素の反応を停止させ、糖化酵素でさらに加水分解することにより製造される、澱粉分解物。
【請求項２】
（Ｄ）分子量５,０００以上の糖組成物含有量が固形分当たり７０質量％以上である、請求項１記載の澱粉分解物。
【請求項３】
（Ｂ）３０℃における３０質量％水溶液の粘度が５５〜２００ｍＰａ・ｓである、請求項１又は２記載の澱粉分解物。
【請求項４】
（Ａ）ＤＥ値が１９以上２６以下である、請求項１〜３のいずれかに記載の澱粉分解物。
【請求項５】
ワキシー種澱粉である原料澱粉を液化酵素で加水分解し、その７０℃における２５質量％水溶液の粘度が２０〜２５０ｍＰａ・ｓの範囲にあるときに、該液化酵素の反応を停止させ、糖化酵素でさらに加水分解することを特徴とする、請求項１〜４のいずれかに記載の澱粉分解物の製造方法。
【請求項６】
請求項１〜４のいずれかに記載の澱粉分解物を含む飲食品。
【手続補正２】
【補正対象書類名】明細書
【補正対象項目名】００１５
【補正方法】変更
【補正の内容】
【００１５】
（Ｂ）粘度
（i）液化液
本発明の製造方法（後述）における「液化液」の粘度とは、液化工程後の澱粉分解物の２５質量％水溶液の７０℃におけるＢＭ型粘度計（６０回転／分、３０秒間）による測定値である。本発明の液化液の７０℃における２５質量％水溶液の粘度は、好ましくは２０〜２５０ｍＰａ・ｓであり、より好ましくは３０〜２００ｍＰａ・ｓであり、さらに好ましくは３０〜１５０ｍＰａ・ｓであり、最も好ましくは３０〜１４０ｍＰａ・ｓである。
（ii）糖化液及び澱粉分解物
本発明における「糖化液」又は「澱粉分解物」の粘度とは、糖化液又は澱粉分解物の３０質量％水溶液の３０℃におけるＢＭ型粘度計（６０回転／分、３０秒間）による測定値である。
本発明の糖化液及び澱粉分解物の３０℃における３０質量％水溶液の粘度は、５０〜２５０ｍＰａ・ｓであり、好ましくは５０〜２００ｍＰａ・ｓであり、より好ましくは５５〜２００ｍＰａ・ｓであり、さらに好ましくは６０〜２００ｍＰａ・ｓである。上記範囲であると濃厚感を付与できる澱粉分解物を提供することができる。